(57)【要約】無線端末のための入力増幅器として、あるいは無線端末送信機の前置増幅器段として適した可変利得低雑音増幅器について説明されている。増幅器（ＭＮ１）は、それぞれＰＭＯＳスイッチ（２２０）によって個々に選択することができるトランジスタ（ＭＰ１〜ＭＰｎ）の回路網を並列アレイに配置し、共振回路（Ｒｐ、Ｌｐ）に可変抵抗を提供することによって可変利得を達成している。また、それぞれＰＭＯＳスイッチ（２２０）によって個々に選択することができる駆動トランジスタの回路網を使用することにより、電力損失が軽減されている。増幅器の共振周波数は、任意選択のプルアップキャパシタ（Ｃｐ’１〜Ｃｐ’ｎ）を選択することによって同調させることができる。
2004522350.tif 000002
【特許請求の範囲】
【請求項１】
制御電極、第１の電極および第２の電極を有する第１のトランジスタであって、前記制御電極に入力信号が結合され、前記第１の電極に第１の基準電圧が結合され、かつ、前記第２の電極に出力信号が結合されたトランジスタと、
第２の基準電圧と前記第１のトランジスタの前記第２の制御電極の間に結合された負荷インダクタと、
前記第１のトランジスタの前記第２の電極に結合された負荷キャパシタと、
前記負荷インダクタと並列に結合された可変抵抗と
を備えたことを特徴とする可変利得増幅器。
【請求項２】
前記可変抵抗は、前記負荷インダクタに並列に配置され、かつ、制御ラインの回路網に結合された少なくとも１つのトランジスタを有することを特徴とする請求項１に記載の可変利得増幅器。
【請求項３】
前記第１のトランジスタの前記第２の電極と前記負荷キャパシタとの間に結合された分離トランジスタをさらに備えたことを特徴とする請求項１に記載の可変利得増幅器。
【請求項４】
対応するゲート電極制御ラインの第１の回路網に結合された複数の第２のトランジスタをさらに備え、前記複数の第２のトランジスタの各々は前記第１のトランジスタと並列に結合されていることを特徴とする請求項１に記載の可変利得増幅器。
【請求項５】
前記第１および前記第２のトランジスタの対応する第２の電極と前記負荷キャパシタとの間にそれぞれ結合された複数の第３のトランジスタをさらに備えたことを特徴とする請求項４に記載の可変利得増幅器。
【請求項６】
前記第３のトランジスタは、対応するゲート電極制御ラインの第２の回路網に結合されていることを特徴とする請求項５に記載の可変利得増幅器。
【請求項７】
前記負荷インダクタと並列に結合された少なくとも１つのプルアップキャパシタをさらに備えたことを特徴とする請求項１に記載の可変利得増幅器。
【請求項８】
前記負荷インダクタと並列に結合された複数のプルアップキャパシタをさらに備え、前記複数のプルアップキャパシタは、前記複数のプルアップキャパシタの対応する１つを前記負荷インダクタにそれぞれ結合している複数のスイッチによって、個々に選択可能であることを特徴とする請求項１に記載の可変利得増幅器。
【請求項９】
前記スイッチはＣＭＯＳ技術により実施されることを特徴とする請求項８に記載の可変利得増幅器。
【請求項１０】
前記複数のプルアップキャパシタは、前記プルアップキャパシタの選択に応じて、前記可変抵抗の負荷抵抗および前記負荷インダクタと共に共振回路を形成するように選択されることを特徴とする請求項８に記載の可変利得増幅器。
【請求項１１】
前記回路は、８００ＭＨｚまたは１８００ＭＨｚで共振することを特徴とする請求項１０に記載の可変利得増幅器。
【請求項１２】
前記可変抵抗は、前記負荷インダクタと並列に結合された複数の負荷トランジスタを備え、前記複数の負荷トランジスタの各々は、制御ラインの第３の回路網の対応する１つに結合されたゲート電極を有することを特徴とする請求項６に記載の可変利得増幅器。
【請求項１３】
前記負荷インダクタと並列に結合された複数のプルアップキャパシタをさらに備え、前記複数のプルアップキャパシタは、前記複数のプルアップキャパシタの対応する１つを前記負荷インダクタにそれぞれ結合している複数のスイッチによって、個々に選択可能であることを特徴とする請求項１２に記載の可変利得増幅器。
【請求項１４】
対応するゲート電極制御ラインの第１の回路網に結合された複数の第２のトランジスタであって、前記複数の第２のトランジスタの各々が前記第１のトランジスタと並列に結合されているトランジスタと、
前記第１および前記第２のトランジスタの対応する第２の電極と前記負荷キャパシタとの間にそれぞれ結合された複数の第３のトランジスタであって、前記複数の第３のトランジスタは、対応するゲート電極制御ラインの第２の回路網に結合されているトランジスタと、
前記第１のトランジスタの前記第２の電極と前記負荷キャパシタとの間に結合された分離トランジスタと
をさらに備えたことを特徴とする請求項１２に記載の可変利得増幅器。
【請求項１５】
前記負荷インダクタと並列に結合された複数のプルアップキャパシタをさらに備え、前記複数のプルアップキャパシタは、前記複数のプルアップキャパシタの対応する１つを前記負荷インダクタにそれぞれ結合している複数のスイッチによって、個々に選択可能であることを特徴とする請求項１４に記載の可変利得増幅器。
【請求項１６】
マルチ周波数増幅器であって、
ソース、ゲートおよびドレインを有する駆動トランジスタであって、前記ゲートに結合された入力端子によって入力信号が入力され、前記ソースは基準電圧源に結合され、かつ、前記ドレインに結合された出力端子によって出力信号が出力される駆動トランジスタと、
電圧源と前記出力端子との間に結合された負荷インダクタと、
前記出力端子と前記基準電圧源との間に結合された負荷キャパシタと、
前記電圧源と前記出力端子との間に、前記負荷インダクタと並列に結合された可変抵抗と、
前記負荷インダクタと並列に配置された少なくとも１つのプルアップキャパシタであって、前記少なくとも１つのキャパシタの各々を前記負荷インダクタに結合する複数のスイッチによって、前記少なくとも１つのプルアップキャパシタの各々を個別に選択することができるプルアップキャパシタと
を備えたことを特徴とするマルチ周波数増幅器。
【請求項１７】
前記駆動トランジスタの前記ドレインと前記負荷キャパシタとの間に結合された分離トランジスタをさらに備えたことを特徴とする請求項１６に記載のマルチ周波数増幅器。
【請求項１８】
前記駆動トランジスタと並列にそれぞれ結合された複数の付加的駆動トランジスタであって、前記駆動トランジスタのゲート電極が可変バイアス電圧を受け取る付加的トランジスタと、
前記駆動トランジスタのドレインと前記負荷キャパシタとの間に結合された複数の分離トランジスタであって、前記複数の分離トランジスタは、ゲート電極制御ラインの回路網に選択的に結合された分離トランジスタと
をさらに備えたことを特徴とする請求項１６に記載のマルチ周波数増幅器。
【請求項１９】
前記可変抵抗は、前記負荷インダクタと並列に結合された複数の負荷トランジスタからなり、前記複数の負荷トランジスタの各々は、制御ラインの第３の回路網の対応する１つに結合されたゲート電極を有することを特徴とする請求項１８に記載のマルチ周波数増幅器。
【請求項２０】
前記可変抵抗は、前記負荷インダクタと並列に結合された複数の負荷トランジスタからなり、前記複数の負荷トランジスタの各々は、制御ラインの第３の回路網の対応する１つに結合されたゲート電極を有することを特徴とする請求項１６に記載のマルチ周波数増幅器。
【請求項２１】
前記少なくとも１つのプルアップキャパシタは、前記プルアップキャパシタの選択に応じて、負荷抵抗および前記負荷インダクタと共に共振回路を形成するよう選択されることを特徴とする請求項１６に記載のマルチ周波数増幅器。
【請求項２２】
前記回路は、８００ＭＨｚまたは１８００ＭＨｚで共振し、前記スイッチはＣＭＯＳ技術により実施されることを特徴とする請求項１９に記載のマルチ周波数増幅器。
【発明の詳細な説明】
【技術分野】
【０００１】
本発明は一般に低雑音増幅器（ＬＮＡ）または前置増幅器の利得を制御するための回路に関し、より詳細には無線通信システムに使用されるＬＮＡまたは前置増幅器に使用される利得制御回路に関する。
【背景技術】
【０００２】
本出願は、参照によりその開示全体が本明細書に組み込まれている、２００１年３月２９日出願の米国仮出願第６０／２７９，４５１号の優先権を主張するものである。
【０００３】
無線通信では、電波伝播の環境（端末と基地局の間の距離を含む）に応じて、様々な大きさの信号が端末ユニット（たとえばハンドセット）に入射される。送信端末(transmitting terminal)から放射される強力な信号は、遠隔基地(remote station)にとっては有用であるが、遠隔基地が近くに存在している場合、その信号はそれほど有用ではない。このような強力な信号は、その送信機の近くに存在している他の端末に対する望ましくないスプリアス信号の原因になっており、また、送信機のバッテリを徒に消費している。さらに、受信端末(receiving terminal)の増幅回路は、その入力が大きいため、増幅回路の出力信号をクリップし、かつ、歪ませている。
【０００４】
通常、端末の入力信号(inward signal)および出力信号(outward signal)は、受信機ブロックの低雑音増幅器（ＬＮＡ）および送信機ブロックの前置増幅器でそれぞれ増幅されている。次段における歪みを抑制するためには、良好な直線性を達成しなければならない。大きな入力に対するＬＮＡによるその出力信号のクリッピングを防止するためには、ＬＮＡの利得を制御可能な利得にしなければならない（大きな入力信号に対して利得を小さくする）。同様に、バッテリを徒に消費しないよう、また、次段すなわち電力増幅器を過励振(overdrive)しないよう、送信機の前置増幅器の利得を制御しなければならない。
【０００５】
図１は、電流分割利得制御技法(current-splitting gain-control techniques)を使用した関連技術による低雑音増幅器を示したものである。関連技術による利得制御スキームでは、利得にかかわるサブ回路、すなわち差動増幅器段のドレインバイアス電流を小さくすることによって（つまり、ゲートバイアス電圧を小さくすることによって）ＬＮＡの利得を小さくしている。入力信号の大きさが何らかの規定レベル(some prescribed level)を超過すると、ＬＮＡ全体がバイアスされ、したがって増幅作用は生じない。残念なことには、バイアス電流を小さくすることにより、駆動トランジスタ(driving transistor)の望ましくないカットオフがもたらされ、そのために直線性が悪くなっている。バイパス動作(bypass operation)に固有の急激なＬＮＡの利得変化のため、良好な直線性と所望の雑音性能を同時に達成することは困難である。したがって、利得を制御するための新しい手法が必要である。
【発明の開示】
【発明が解決しようとする課題】
【０００６】
本発明の目的は、少なくとも前述の問題および／または欠点を解決し、かつ、少なくとも以下で説明する利点を提供することにある。
【０００７】
本発明の他の目的は、低雑音増幅器の利得または送信機の前置増幅器の利得を制御する方法および装置を提供することにある。
【０００８】
本発明の他の目的は、大きい入力信号を受信した場合に、その出力信号のクリッピングを減じ、あるいはクリッピングを防止する低雑音増幅器および低雑音増幅器を動作させるための方法を提供することにある。
【０００９】
本発明の他の目的は、バッテリを徒に消費しないよう、また、次段（電力増幅器）を過励振しないよう、送信機の前置増幅器の利得を制御することができる方法および装置を提供することにある。
【課題を解決するための手段】
【００１０】
本発明による好ましい実施形態では、可変利得増幅器は、制御電極、第１の電極、第２の電極およびドレインを有する第１のトランジスタであって、その制御電極に入力信号が結合され、その第１の電極に第１の基準電圧が結合され、かつ、その第２の電極に出力信号が結合されたトランジスタと、第２の基準電圧と上記第１のトランジスタの上記第２の制御電極との間に結合された負荷インダクタ(load inductor)と、上記第１のトランジスタの上記第２の電極に結合された負荷キャパシタ(load capacitor)と、上記負荷インダクタと並列に結合された可変抵抗とを少なくとも一部に備えている。
【００１１】
本発明による他の好ましい実施形態では、マルチ周波数増幅器(multi-frequency amplifier)は、ソース、ゲートおよびドレインを有する駆動トランジスタ(driving transistor)であって、そのゲートに結合された入力端子によって入力信号が入力され、そのソースが基準電圧源に結合され、かつ、そのドレインに結合された出力端子によって出力信号が出力される駆動トランジスタと、電力電圧源(power voltage source)と上記出力端子との間に結合された負荷インダクタと、上記出力端子と上記基準電圧源との間に結合された負荷キャパシタと、上記電力電圧源と上記出力端子との間に、上記負荷インダクタと並列に結合された可変抵抗と、上記負荷インダクタと並列に配置された少なくとも１つのプルアップキャパシタであって、その少なくとも１つのキャパシタの各々を上記負荷インダクタに結合している複数のスイッチによって、上記少なくとも１つのプルアップキャパシタの各々を個別に選択することができるプルアップキャパシタとを少なくとも一部に備えている。
【００１２】
本発明のその他の利点、目的および特徴について、一部を以下の説明の中で示し、また一部については、当分野の技術者には、以下の説明を考察することによって明らかになり、あるいは本発明を実施することによって習得されよう。本発明の目的および利点は、とりわけ特許請求の範囲の各請求項の中で指摘されているように実現され、かつ、達成される。
【００１３】
以下、本発明について、添付の図面を参照して詳細に説明する。添付の図面の同一参照番号は、同一の構成要素を表している。
【発明を実施するための最良の形態】
【００１４】
無線通信システムに使用される低雑音増幅器（たとえば同調増幅器）および前置増幅器のための利得制御方法および装置について、本発明の好ましい実施形態に基づいて説明する。たとえば、利得制御方法および装置の好ましい一実施形態は、無線端末の回路に使用することができ、また、ＬＮＡまたは前置増幅器に組み込むことができるが、本発明をそれに限定するものとして解釈してはならない。また、本発明は、バイポーラ接合トランジスタ（ＢＪＴ）あるいは接合電界効果トランジスタ（ＪＦＥＴ）などの任意のタイプのデバイス技術に適用することができる。以下、説明用として、酸化金属半導体電界効果トランジスタ（ＭＯＳＦＥＴ）技術を使用して、本発明による好ましい実施形態について説明する。
【００１５】
図２ａは、本発明による増幅器の好ましい一実施形態を示す線図である。図２ａは、狭周波数帯域(narrow band of frequencis)における所望の利得を有する同調ＬＮＡ(tuned LNA)を示したものである。このＬＮＡは、ｎチャネルＭＯＳ（ＮＭＯＳ）トランジスタＭＮ１  ２００、およびキャパシタＣｐ２０５、インダクタＬｐ２１０および抵抗Ｒｐ２１５から構成された負荷を使用して構成されている。入力信号は、共通ソース(common-source)ＮＭＯＳトランジスタ（ＭＮ１）２００のゲートノード(gate node)に印加され、ドレインノード２１２に増幅された信号が出現する。出力端子２１４は、ドレインノード２１２に結合されている。抵抗Ｒｐ２１５およびインダクタＬｐ２１０は、電源電圧２１６（たとえばＶｄｄ）とドレインノード２１２との間に結合され、キャパシタＣｐ２０５は、接地端子２１８とドレインノード２１２との間に結合されていることが好ましい。キャパシタＣｐ２０５は、次段（たとえばミクサ）の入力キャパシタンスおよび／または出力ノードの寄生キャパシタンス(parasitic capacitance)とみなすことができる。インダクタＬｐ２１０は、キャパシタＣｐ２０５と共に並列共振回路を形成し、ＬＮＡの利得を所望の周波数に同調させて、利得のピークを共振周波数に位置付けることが好ましい。インダクタ２１０は、螺旋(spiral)インダクタあるいはボンドワイヤ(bond-wire)インダクタを使用して（または外部インダクタを使用して）実施することができる。
【００１６】
本発明の好ましい一実施形態によれば、ＬＮＡの利得を適応制御(adaptively control)し、かつ、出力を歪ませる（飽和あるいはカットオフによって）入力信号を回避するように、抵抗Ｒｐ２１５が可変抵抗になっている。大きい入力信号に対する利得を小さくするように、ドレインバイアス電流（すなわち、図２ａのＤＣ成分ｉD）を小さくすることによって電力が節約されるが、ＭＮ１  ２００の望ましくないカットオフ動作による直線性の低下を必然的に伴っている。しかし、利得を小さくするために、図２ａのＲｐ２１５の値を小さくしても、ＬＮＡの直線性には何ら影響しないので、電力消費の低減より直線性が優先する場合、ドレインバイアス電流ではなく、Ｒｐ２１５を制御して利得を変化させることができる。
【００１７】
共振周波数における利得はＲｐ2に比例している。したがって利得は、共振負荷のＱ値ＱがＲｐ２１５に正比例しているので、Ｃｐ２０５およびＬｐ２１０が固定値である場合、共振回路のＱ値Ｑ2に比例している（すなわち、利得ピークの鋭さに比例している）。
【００１８】
【数１】
2004522350.tif 000003
【００１９】
であることから、Ｒｐ２１５を制御することは、Ｃｐ２０５およびＬｐ２１０が固定値である場合、Ｑを制御することと等価である。
【００２０】
図２ｂは、図２ａに示す増幅器の回路実施態様の好ましい一実施形態を示したものである。図２ｂに示すように、可変抵抗すなわち可変レジスタンスは、並列に整列したｐチャネルＭＯＳ（ＰＭＯＳ）トランジスタＭＰ［１］からＭＰ［ｎ］（２２０、２２５、２３０）を使用して実施されている。ＰＭＯＳトランジスタの各々は、ターンオンすると（すなわち、ゲート電圧が小さくなると）、その直線領域で動作するようになされており、したがって、図２ｃに示すように、ターンオン抵抗(turn-on resistance)を備えたスイッチとみなすことができる。正味抵抗(net resistance)は、ゲート信号ｃｔｒｌ［１］〜ｃｔｒｌ［ｎ］（２３５、２４０、．．．２４５）の論理によって制御されている。これらのＰＭＯＳスイッチを１つずつ制御することにより、増幅器の利得がステップ状に調整される。増幅器の利得は、これらのＰＭＯＳスイッチがすべてターンオンの場合に最小になる（それらのすべてのゲート電圧を小さくすることにより）。
【００２１】
ミラー効果を小さくするよう入力と出力をさらに分離するために、共通ゲートＮＭＯＳトランジスタＭＣ１  ２５０が追加されている。バイアス発生ブロックＢＩＡＳ＿ＧＥＮ１  ２５５は、ＭＣ１  ２５０を飽和領域に維持することによって生じる出力信号のスイングに影響されることなく、あるいは出力信号のスイングの影響が少ない状態でＭＣ１  ２５０の動作を維持している。
【００２２】
負荷のＱを小さくすることにより、ＤＣバイアス電流を小さくする場合に比べて、直線性の低下が軽減されることは事実であるが、その代わりに、他の手法と比較した場合、電力消費が犠牲になっている。図２ｂの回路を使用して直線性を維持するためには、ドレインバイアス電流を維持しなければならず、そのためには一定のＤＣ電力消費が伴うことになる。図２ｂの回路の場合、ＭＮ１  ２００のコンダクタンスパラメータｋ（ゲート幅に比例している）が固定されているので、増幅器のＤＣ電力消費を低減することは不可能である。ＤＣ電力消費を低減しなければならない場合は、新しい利得制御手法が必要である。
【００２３】
ｋを可変にすることによって電力消費を低減するために、本発明による好ましい実施形態には、図３ａに示す回路が使用されている。図３ａに示すように、駆動トランジスタＭＮ１  ２００は、分散(distributed)ＮＭＯＳトランジスタＭＮ［１］〜ＭＮ［ｎ］（たとえば、３００、３０５、．．．３１０）に分割されている。これらのトランジスタは、同じく図３ｂの実施例で示す対応するＰＭＯＳスイッチ３３０、３３５、．．．３４０によってそれぞれターンオンおよびターンオフされる対応するＮＭＯＳトランジスタＭＣ［１］〜ＭＣ［ｎ］（たとえば、３１５、３２０、．．．３２５）によって制御されている。入力が大きくなると、図３ａに示すＢＩＡＳ＿ＧＥＮ２  ３４５信号を使用してゲートバイアス電圧を大きくし、それにより直線性が維持されることが好ましい。利得を小さくし、同時にＤＣ電力消費を低減するためには、ゲートバイアスを大きくする速度よりはるかに速い速度でｋの値を小さくすることが好ましい。その場合、ｋを高速で変化させることによって必然的に利得ステップの間隔が広くなるので、電力消費の低減と利得制御の円滑性との間のトレードオフが必要になる。Ｒｐ２１５に関連して説明したように、プルアップ抵抗（Ｒｐ）３５０を可変にする場合は、利得制御をより円滑にする方が有利である。好ましい一実施形態では、図２ｂに示すｐチャネルＭＯＳ（ＰＭＯＳ）トランジスタを使用して可変抵抗が実施されている。
【００２４】
図３ａに示す回路は、無線端末ユニット内の送信機の前置増幅器にも使用することができるが、その場合は、低容量性負荷(low capacitive load)を出力部に設けなければならない。これは、典型的な前置増幅器が、入力インピーダンスが５０Ω（マイクロ波工学においては標準インピーダンスである）にセットされた電力増幅器を駆動していることによるものである。
【００２５】
図４ａに示すように、プルアップキャパシタＣｐ’４００をプルアップインダクタＬｐ４１０と並列に接続し、プルアップキャパシタＣｐ’４００に直列接続されたスイッチ４０５を使用してターンオンおよびターンオフさせることができる。本発明によるこの好ましい実施形態の場合、スイッチ４０５は、相補型ＭＯＳＦＥＴ（ＣＭＯＳ）「トランジスタゲート」を使用して実施することができ、その場合、共振周波数を相対的に上下にシフトさせることができる。この共振周波数は、増幅器がシフト帯域において安定して機能することを条件として、所望する他の周波数帯域に当てることができる。デュアルバンド動作の実施例の１つは、８００ＭＨｚ近辺のセルラー帯域および１８００ＭＨｚ近辺のＰＣＳ帯域で使用（時分割方式で）することができる無線通信用増幅器である。所望の周波数帯域は、ＣＭＯＳスイッチを制御する外部信号によって選択することができる。付加的な帯域選択性(additional band selectivity)は、図４ｂに示すように、図４ａに示した回路の好ましい代替実施形態である回路を使用することによって達成することができる。図４ｂに示す好ましい実施形態により、単一駆動トランジスタ(single driving transistor)ＭＮ１  ４１５を使用してデュアルバンド動作を達成することができる。動作に関しては、キャパシタＣｐ’［１］〜Ｃｐ’［ｎ］（たとえば、４２０、４２５、．．．４３０）が、対応する直列接続スイッチ(series-connected switch)（たとえば、４３５、４４０、．．．４４５）（ＣＭＯＳトランジスタゲートスイッチなどの）によって個別に、あるいは集合的にターンオンおよびターンオフされる。
【００２６】
上述したように、無線通信システムの利得を制御するための方法および装置の好ましい実施形態は、様々な利点を有している。好ましい実施形態によれば、ＭＯＳＦＥＴ技術を使用した集積前置増幅器あるいは低雑音増幅器（たとえば、無線通信用端末ユニット内の）の出力信号のクリッピング歪み(clipping distortion)を防止するために、利得は、プルアップ負荷に可変抵抗を組み込むことによって調整可能な利得になっている。可変抵抗は、図２ｂに示すように、線形領域で動作する分散ＰＭＯＳトランジスタを使用して実施されている。また、好ましい実施形態では、ＤＣ電力消費の可制御性および利得の可制御性を達成するために、１つの駆動トランジスタが、個別にターンオンおよびターンオフさせることができる分散トランジスタに分割されている。また、付加的キャパシタなど(additional capacitor or the like)を負荷インダクタと並列に選択的に結合することによって共振周波数を調整することができ、かつ／またはマルチバンド動作を好ましい実施形態で実施することができる。
【００２７】
前述の実施形態および利点は、単なる例示的なものに過ぎず、本発明を制限するものとして解釈してはならない。本教示は、他のタイプの装置に容易に適用することが可能である。本発明についての説明は、例証を意図したものであり、特許請求の範囲の各請求項の範囲を限定するものではない。当分野の技術者には多くの代替、改変および変形形態が明らかであろう。特許請求の範囲の各請求項においては、手段プラス機能の文節には、記載されている機能を実行する構造として本明細書において説明した構造、構造的等価物および等価構造が包含されているものとする。
【図面の簡単な説明】
【００２８】
【図１】関連技術による、電流分割利得制御技法を使用したＬＮＡの回路図である。
【図２ａ】本発明の一実施形態による、狭周波数帯域における所望の利得を有する低雑音増幅器の回路図である。
【図２ｂ】本発明の一実施形態による、図２ａに示した増幅器を示す回路図である。
【図２ｃ】本発明の一実施形態による、ターンオン抵抗を備えたスイッチとして動作するＰＭＯＳトランジスタの回路図である。
【図３ａ】駆動トランジスタＭＮ１を分散ＮＭＯＳトランジスタＭＮ［１］〜ＭＮ［ｎ］に分割することによって達成される可変コンダクタンスパラメータｋを提供することにより、電力消費を低減するよう設計された、本発明の一実施形態による回路を示す回路図である。
【図３ｂ】本発明の一実施形態による、ＮＭＯＳトランジスタＭＣ［１］〜［ｎ］をターンオンおよびターンオフさせるＰＭＯＳスイッチの回路図である。
【図４ａ】本発明の一実施形態による、２つの共振周波数を切り換えることができる回路を示す回路図である。
【図４ｂ】本発明の一実施形態による、単一駆動トランジスタＭＮ１を使用してマルチバンド動作を可能にする図３ａの回路を一般化した回路図である。
【図１】
2004522350.tif 000004
【図２ａ】
2004522350.tif 000005
【図２ｂ】
2004522350.tif 000006
【図２ｃ】
2004522350.tif 000007
【図３ａ】
2004522350.tif 000008
【図３ｂ】
2004522350.tif 000009
【図４ａ】
2004522350.tif 000010
【図４ｂ】
2004522350.tif 000011
【国際公開パンフレット】
2004522350.tif 000012
2004522350.tif 000013
2004522350.tif 000014
2004522350.tif 000015
2004522350.tif 000016
2004522350.tif 000017
2004522350.tif 000018
2004522350.tif 000019
2004522350.tif 000020
2004522350.tif 000021
2004522350.tif 000022
2004522350.tif 000023
2004522350.tif 000024
2004522350.tif 000025
2004522350.tif 000026
2004522350.tif 000027
2004522350.tif 000028
2004522350.tif 000029
2004522350.tif 000030
2004522350.tif 000031
2004522350.tif 000032
【国際調査報告】
2004522350.tif 000033